(57)【要約】      （修正有）【課題】電灯を消して扉を閉じた状態でも消臭作用を持続させる消臭トイレユニット構造を提供する。【解決手段】消臭トイレユニット構造４０は、長辺Ｌ１、短辺Ｌ２のスペースに床材１、天井材１０、壁材２１〜２４を形成して構成する。天井材１０は、基材（例えば、パーティクルボード１５ｍｍ）の室内側に消臭シート１１を接着して形成する。消臭シート１１は、酸素を媒介として悪臭物質を吸着して化学反応により水と二酸化炭素に分解する機能を備えた特殊物質を備えている。壁材２１〜２４は低圧メラミン化粧板から形成する。長辺側の壁材２２には出入口用切り欠き２６が形成され、扉２７が取り付けられている。棚の観音開きの扉２９、２９を、低圧メラミン化粧板から形成する。点検口３２は、低圧メラミン化粧板から形成する。【選択図】図１
0003219706.tif 000002
【実用新案登録請求の範囲】
【請求項１】
床材の上面に便器を設置し、床材の四周に必要な窓や出入口を設けた壁材を配置し、天井に天井材を配置してなり、以下のように構成したことを特徴とする消臭トイレユニット構造。
(1) 前記天井材の室内側に特殊消臭シートを貼り付けた。
(2) 前記特殊消臭シートは、基材シートに特殊物質を含ませてなり、前記特殊物質の触媒作用により、悪臭物質を吸着して化学反応により水と二酸化炭素に分解する機能を備えた。
【請求項２】
床材の上面に便器を設置し、前記床材の四周に必要な窓や出入り口を設けた壁材を配置し、天井に天井材を配置してなり、以下のように構成したことを特徴とする消臭トイレユニット構造。
(1) 前記天井材の室内側に特殊消臭シートを貼り付けた。
(2) 前記壁材は、低圧メラミン化粧板から構成した。
(3) 前記特殊消臭シートは、基材シートに特殊物質を含ませてなり、前記特殊物質の触媒作用により、悪臭物質を吸着して化学反応により水と二酸化炭素に分解する機能を備えた。
【請求項３】
壁に棚を設けて、棚板および扉を低圧メラミン化粧板から構成した請求項１または請求項２に記載の消臭トイレユニット構造。
【考案の詳細な説明】
【技術分野】
【０００１】
本考案は、住宅、マンションなど各所の消臭トイレユニット構造に関する。
【背景技術】
【０００２】
トイレは、各種材料で床、壁、天井を囲い消臭トイレユニット構造を構築していた。また、トイレはアンモニア臭などの悪臭が発生するため、これを処理する機能も求められていた。例えば、酸化タングステン光触媒粉末を塗布した天井材を使用した提案（特許文献１）、竹炭の粉末を加えた塗料を塗った可撓性シートを施す提案（特許文献２）などがあった。
【先行技術文献】
【特許文献】
【０００３】
【特許文献１】特開２００９−１２１１１６号公報
【特許文献２】特開２０１０−９４３７８号公報
【考案の概要】
【考案が解決しようとする課題】
【０００４】
前記従来の技術では、酸化タングステン光触媒粉末を使用した場合には、光触媒の機能であり、室内光で作用する材料もあるが、トイレ内の照明では使用時以外は消灯し、点灯時にも照明は一般に暗く、さらに窓も無い間取りもあるので、光触媒の反応が鈍くなる問題点があった。
【０００５】
また、竹炭の粉末に臭い成分を吸着させる場合には、粉末の吸着能力を超えると急激に吸着機能が衰え、再度の塗り直しなどの手間が掛かる問題点があった。
【課題を解決するための手段】
【０００６】
この考案は、壁材に低圧メラミン樹脂化粧板を使い、さらに少なくとも天井材に、特殊物質を含ませた消臭シートを形成し、特殊物質に触媒作用により、悪臭物質を吸着して化学反応により水と二酸化炭素に分解する機能を備えたので、前記問題点を解決した。
【０００７】
すなわち、この考案は、床材の上面に便器を設置し、床材の四周に必要な窓や出入口を設けた壁材を配置し、天井に天井材を配置してなり、以下のように構成したことを特徴とする消臭トイレユニット構造である。  
(1) 前記天井材の室内側に特殊消臭シートを貼り付けた。  
(2) 前記特殊消臭シートは、基材シートに特殊物質を含ませてなり、前記特殊物質の触媒作用により、悪臭物質を吸着して化学反応により水と二酸化炭素に分解する機能を備えた。
【０００８】
また、他の考案は、床材の上面に便器を設置し、前記床材の四周に必要な窓や出入り口を設けた壁材を配置し、天井に天井材を配置してなり、以下のように構成したことを特徴とする消臭トイレユニット構造である。  
(1) 前記天井材の室内側に特殊消臭シートを貼り付けた。  
(2) 前記壁材は、低圧メラミン化粧板から構成した。  
(3) 前記特殊消臭シートは、基材シートに特殊物質を含ませてなり、前記特殊物質の触媒作用により、悪臭物質を吸着して化学反応により水と二酸化炭素に分解する機能を備えた。
【０００９】
また、前記各考案において、壁に棚を設けて、棚板および扉を低圧メラミン化粧板から構成した消臭トイレユニット構造である。
【考案の効果】
【００１０】
この消臭トイレユニット構造では、トイレ内で発生したアンモニア臭などの悪臭を、天井材の消臭シートに含まれた特殊物質の触媒作用で分解して除去するので、消臭機能の発揮に電力や光が不要であり、特殊物質の触媒作用に必要な空気は人の出入りでトイレ外から供給されるので、一般に電灯が暗く、また電灯を消して扉を閉じた状態で使用されるトイレ内でも、消臭作用を持続させることができる効果がある。さらに、壁材を低圧メラミン化粧板とした場合には、壁材表面で悪臭を吸着することが無いので、トイレ全体で臭いを貯めることなく、天井の消臭シートで確実に消臭できる。
【図面の簡単な説明】
【００１１】
【図１】図１は、この考案の第１の実施形態の消臭トイレユニット構造で、（ａ）はトイレ室内から壁を見た正面図、（ｂ）は天井から床側を見た平面図である。
【図２】図２は、トイレ室内から壁を見た左側面図である。
【図３】図３は、この考案の第２の実施形態の消臭トイレユニット構造で、（ａ）はトイレ室内から壁を見た正面図、（ｂ）は天井から床側を見た平面図である。
【図４】図４は、トイレ室内から壁を見た右側面図である。
【考案を実施するための形態】
【００１２】
図面に基づきこの考案の実施形態を説明する。
【００１３】
１．第１の実施形態（図１、図２）
【００１４】
（１）トイレスペースは、外寸で、例えば、
長辺Ｌ１＝１４６０ｍｍ
短辺Ｌ２＝８５０ｍｍ
であり、これに対応した大きさで床材１が構成されている。  
床材１は、例えば
ラワン合板１２ｍｍ＋防水クッションフロアシート１．８ｍｍ
で構成される。  
また、床材１上に、通常の便器２が設置され、必要な配管（（図示していない）が施されている。
【００１５】
（２）また、天井材１０は、基材（例えば、パーティクルボード１５ｍｍ）の室内側に消臭シート１１を接着して構成してある。  
消臭シート１１は、表面に特殊物質が固着されており、トイレ内の悪臭成分（特にアンモニア系）を吸着して分解することができるようになっている。特殊物質の作用は、酸素を媒介として、この悪臭成分を触媒作用により（化学反応により）、水と二酸化炭素に分解する。二酸化炭素と水を放出後に特殊物質は元の状態に戻り再生される。この消臭シートとして例えば、住江織物株式会社の「トリプルフレッシュ（登録商標）」などを使用することができる。
【００１６】
（３）壁には、長辺Ｌ１側の一辺に壁材２１、他辺に壁材２２が配置され、短辺Ｌ２側の一辺に壁材２３、他辺の壁材２４がそれぞれ配置されている。また、壁材２１〜２４は、
低圧メラミン化粧板（厚さ１８ｍｍ）
から形成されている。  
長辺側の壁材２２には出入口用切り欠き２６が形成され、扉２７が取り付けられている。扉２７は、例えば、強化紙化粧板（フラッシュ扉、厚さ３３ｍｍ）が採用されている。  
また、壁の他辺の壁材２４の天井付近に、壁材２４の室内側の表面に沿って、棚が形成されている。棚は上が可動棚、下が固定棚となり、棚板２８、２８および観音開きの扉２９、２９は
低圧メラミン化粧板（厚さ１８ｍｍ）
から形成されている。  
なお、壁材２４の下部には、パイプシャフト（壁材２４の裏側にある）の点検口３２であり、
低圧メラミン化粧板（厚さ８ｍｍ）
から構成されている。
【００１７】
（４）以上のようにして、この考案の消臭トイレユニット構造４０を構成する。  
この消臭トイレユニット構造４０では、使用者は従来のトイレと同様に使用する。トイレ内で発生したアンモニア臭などの悪臭は、天材１０の表面の消臭シート１１で分解され、除去される。この際、消臭作用は、特殊物質の触媒作用によるので、電力などは不要であり、また、空気は人の出入りでトイレ外から供給され、さらに光も不要である。したがって、電灯を消して扉２７を閉じた状態でも消臭作用を持続させることができる。  
また、壁材２１〜２４を低圧メラミン化粧板としたので、壁材表面で悪臭を吸着することが無いので、トイレ全体で臭いを貯めることが無い。
【００１８】
（５）なお、前記において、消臭シート１１は天井材１０のみに設けたが、通常はそれで十分であるが、さらなる消臭効果を求める場合には、壁材２１〜２４の内面にも同様に消臭シート１１を形成することもできる（図示していない）。  
また、低圧メラミン化粧板を使用しないで、通常の壁材を使用することもできる。この場合には壁材に吸着した臭いも消臭シート１１で除去できるが、時間を要する。
【００１９】
２．第２の実施形態（図３、図４）
【００２０】
第１の実施形態では、長辺側の壁材２２に出入口開口２６を形成したが、この実施形態では、第１の実施形態に比べてトイレスペースが狭く、かつ短辺側の壁材２４に出入口開口２６を形成してある。
【００２１】
（１）トイレスペースは、外寸で、例えば、
長辺Ｌ１＝１４６０ｍｍ
短辺Ｌ２＝  ８５０ｍｍ
であり、これに対応した大きさで床材１が構成されている。  
床材１は、実施例１と同様に例えば、
ラワン合板１２ｍｍ＋防水クッションフロアシート１．８ｍｍ
で構成される。  
また、床材１上に、通常の便器２が設置され、必要な配管（（図示していない）が施されている。
【００２２】
（２）また、天井材１０は、実施形態１と同様に、基材（例えば、パーティクルボード１５ｍｍ）の室内側に消臭シート１１を接着して構成してある。消臭シート１１の構成も第１の実施形態と同様である。
【００２３】
（３）壁には、長辺Ｌ１側の一辺に壁材２１、他辺に壁材２２が配置され、短辺Ｌ２側の一辺に壁材２３、他辺の壁材２４がそれぞれ配置されている。また、壁材２１〜２４は、
低圧メラミン化粧板（厚さ１８ｍｍ）から形成されている。  
短辺側の壁材２４には出入口用切り欠き２６が形成され、扉２７が取り付けられている。扉２７は、例えば、強化紙化粧板（フラッシュ扉、厚さ３３ｍｍ）が採用されている。  
また、壁の壁材２３の天井付近に、棚が形成されている。棚は、上下が可動棚となるように、棚奥板３０、棚側板３０ａ、３０ａ、棚板２８、２８、を備え、それぞれ、
低圧メラミン化粧板（厚さ１８ｍｍ）
から形成されている。  
また、壁材２３の下部には、パイプシャフト（壁材２３の裏側にある）の点検口３２であり、
低圧メラミン化粧板（厚さ８ｍｍ）
から構成されている。
【００２４】
（４）以上のようにして、この考案の消臭トイレユニット構造４０を構成する。この消臭トイレユニット構造４０の使用、他の実施形態は、前記第１の実施形態と同様である。
【符号の説明】
【００２５】
１      床材
２      便器
１０    天井材
１１    消臭シート
２１〜２４  壁材
２６    出入口用切り欠き
２７    出入口扉
２８    棚板
２９    扉（棚）
３０    棚奥板
３０ａ  棚側板
３２    点検口
４０    消臭トイレユニット構造
【図１】
0003219706.tif 000003
【図２】
0003219706.tif 000004
【図３】
0003219706.tif 000005
【図４】
0003219706.tif 000006